(57)【要約】【課題】  比較的簡易な方法で携帯型発光装置の発光状態を高度に制御できる演出方法及び演出システムと、それに用いる携帯型発光装置を提供する。【解決手段】  複数の携帯型発光装置３０と、携帯型発光装置３０の発光状態を制御する複数の発光状態制御装置１０とを含む。携帯型発光装置３０の各々は、所定範囲内で無線通信が可能なＩＣタグ４０を備えていると共に、ＩＣタグ４０が受信した制御信号によってその発光状態を変更可能である。発光状態制御装置１０の各々は、一定のレイアウトで会場内に配置されると共に、所定の通信可能ゾーンを有する。発光状態制御装置１０の各々から送信される制御信号に基づいて、発光状態制御装置１０の通信可能ゾーン内にある携帯型発光装置３０の発光状態を変化させることにより、複数の通信可能ゾーン毎に固有の像を形成させ、それらの像の組み合わせによって会場の演出を行う。【選択図】    図１
2007115412.tif 000002
【特許請求の範囲】
【請求項１】
複数の携帯型発光装置の各々に所定範囲内で無線通信が可能なＩＣタグを取り付けると共に、当該ＩＣタグが受信した制御信号によってその発光状態を変更可能とし、
複数の前記携帯型発光装置の各々を会場に入る観客に携帯させ、
各々が所定の通信可能ゾーンを持つ複数の発光状態制御装置を前記会場に配置し、
複数の前記発光状態制御装置の各々から送信される前記制御信号に基づいて、当該発光状態制御装置の前記通信可能ゾーン内にある前記携帯型発光装置の発光状態を変化させることにより、複数の前記通信可能ゾーン毎に固有の像を形成させ、それらの像の組み合わせによって前記会場の演出を行うことを特徴とする演出方法。
【請求項２】
隣接する前記発光状態制御装置の前記通信可能ゾーンが互いに重複せしめられており、その重複部分にある前記携帯型発光装置の発光状態が、受信強度の強い方の制御信号に応じた発光状態とされる請求項１に記載の演出方法。
【請求項３】
隣接する前記発光状態制御装置の前記通信可能ゾーンが互いに重複せしめられており、その重複部分にある前記携帯型発光装置の発光状態が、一つの制御信号を受信する場合とは異なる発光状態とされる請求項１に記載の演出方法。
【請求項４】
複数の携帯型発光装置と、それら携帯型発光装置の発光状態を制御する複数の発光状態制御装置とを含み、
複数の前記携帯型発光装置の各々は、所定範囲内で無線通信が可能なＩＣタグを備えていると共に、当該ＩＣタグが受信した制御信号によってその発光状態を変更可能であり、
複数の前記発光状態制御装置の各々は、一定のレイアウトで会場内に配置されると共に、所定の通信可能ゾーンを有しており、
複数の前記発光状態制御装置の各々から送信される前記制御信号に基づいて、当該発光状態制御装置の前記通信可能ゾーン内にある前記携帯型発光装置の発光状態を変化させることにより、複数の前記通信可能ゾーン毎に固有の像を形成させ、それらの像の組み合わせによって前記会場の演出を行うことを特徴とする演出システム。
【請求項５】
隣接する前記発光状態制御装置の前記通信可能ゾーンが互いに重複せしめられており、その重複部分にある前記携帯型発光装置の発光状態が、受信強度の強い方の制御信号に応じた発光状態とされる請求項４に記載の演出システム。
【請求項６】
隣接する前記発光状態制御装置の前記通信可能ゾーンが互いに重複せしめられており、その重複部分にある前記携帯型発光装置の発光状態が、一つの制御信号を受信する場合とは異なる発光状態とされる請求項４に記載の演出システム。
【請求項７】
光源及びその光源から送られる光によって発光する発光部を内蔵した本体部と、
前記本体部に内蔵されたＩＣタグと、
前記光源を駆動する駆動手段とを備え、
前記駆動手段は、前記ＩＣタグを介して受信する制御信号に応じて前記光源を制御し、もって前記発光部の発光状態を制御するように構成されていることを特徴とする携帯型発光装置。
【請求項８】
前記本体部が、前記光源から送られる光によって発光する発光体を内蔵する請求項７に記載の携帯型発光装置。
【請求項９】
ローカルモードの動作とリモートモードの動作が可能であり、それら二つのモードは切替スイッチで切り替え可能とされる請求項７または請求項８に記載の携帯型発光装置。
【発明の詳細な説明】
【技術分野】
【０００１】
本発明は、演出方法、演出システム及び携帯型発光装置に関し、さらに言えば、ＩＣタグを内蔵すると共に発光可能なペンライト、うちわ（団扇）、バッチ、帽子、ミッキーマウスの耳等の携帯型発光装置と、それを用いて、コンサートホール、球場等の会場内で所望の光学的演出効果を実現する演出方法、及びその演出方法を実現する演出システムに関する。
【背景技術】
【０００２】
従来、コンサート、演劇等の各種イベントが開催される会場（以下、イベント会場という）では、イベントの実行の際には照明の全部または一部が消されることが多い。これは、光学的演出効果を高めるためである。他方、ステージ上で演奏される音楽に合わせて、観客席で個々の観客がペンライトを持ってゆっくり振り、演奏者と観客の一体感を高める、といったことも、従来から行われている。このように、暗くしたイベント会場や夜間の屋外ステージ等でペンライト等の携帯型発光装置を用いると、演出効果が大きい。
【０００３】
携帯型発光装置の例としては、特許文献１（特開２００２−３１５６１７号公報）に開示された「うちわ状発光体」がある。これは、「内部に電源を収納した柄と、害柄の一方の端部に接合された透明なほぼ板状の扇体部材と、前記扇体部材の内部に光速を入射させるように前記柄の一方の端部付近に配置した少なくとも１個のＬＥＤ光源と、前記光速の一部を前記扇体面から放射する手段と、前記ＬＥＤ光源の近傍からの前記扇体部材の外への漏光を防止する遮光部材を備えたことを特徴とする」ものである（請求項１を参照）。このうちわ状発光体によれば、優れたかつ美麗な光演出効果が得られる、ＬＥＤの強い直接光により扇面からの繊細な光の視認が妨げられることがない、製造コストが低い、といった効果があるとされている。
【０００４】
また、携帯型発光装置を用いた演出については、特許文献２（特開２００２−３６９８１号公報）に開示された「携帯発光装置による演出用発光装置及び演出方法」がある。この演出用発光装置は、複数の携帯発光装置と発光状態制御装置からなり、発光状態制御装置は各携帯発光装置に割り振られたアドレスと発光指令信号を無線で送出し、各携帯発光装置は発光状態制御装置から無線で送られてくる自己アドレスの発光指令信号に基づいて発光するようにしたものである（請求項１を参照）。また、この演出方法は、各観客席の位置に対応して前記携帯発光装置のアドレスを割り振り、各観客席に対して割り振られたアドレスの前記携帯発光装置を当該観客席の観客に携帯させ、前記発行状態画像作成手段で作成された発光状態画像と類似する携帯発光装置の発光による像を観客席に形成するようにしたものである（請求項６を参照）。
【０００５】
特許文献３（特開昭６２−４０１０１号公報）は、受信機を備えた発光装置を用いる「舞台演出方法」を開示している。この舞台演出方法は、劇場やスタジアム等の観客席に、受信機を備えた発光装置を分散配置し、これら多数の発光装置を無線送信装置から送られる電波により点滅させるか或いは明度を変える、というものである（特許請求の範囲を参照）。
【０００６】
他方、近年、バーコードに代えて、無線ＩＣタグ（以下、単にＩＣタグともいう）が、利用されるようになってきている。ＩＣタグは、「電子荷札」とも呼ばれ、物体の識別に利用される微小な無線ＩＣ（集積回路）チップから構成されていて、自身の識別コードなどの情報が記録されており、電波または電磁波を使って管理システムと情報を送受信する能力を持っている。ＩＣタグの大きさは、通常、数ｃｍ程度であり、メモリと無線用アンテナと通信機能が組み込まれる。その形状は、ラベル型、カード型、コイン型、スティック型など様々である。その通信距離は、数mm程度から数mであるものが多い。
ＩＣタグには、内蔵した電源（電池）で電波を受発信する「アクティブ型」と、内蔵電源を持たず、送られて来る電波で電磁誘導を起こす等によって駆動されて電波の受発信を行なう「パッシブ型」とがある。前者は、数十ｍの距離を隔てても通信ができるが、電池の寿命が尽きると交信できなくなり、パッシブ型よりも高価である。後者は、通信距離が数ｍｍ〜数十ｃｍ程度であるが、アクティブ型よりは遥かに安価に製造でき、また、電池切れの心配がないことから半永久的に利用可能である。
ＩＣタグの具体的構成については、例えば特開２００１−３２５５７２号公報、特開２００５−２０８７８７号公報等に記載があり、公知であるから、ここでは言及しない。
【０００７】
【特許文献１】特開２００２−３１５６１７号公報
【特許文献２】特開２００２−３６９８１号公報
【特許文献３】特開昭６２−４０１０１号公報
【発明の開示】
【発明が解決しようとする課題】
【０００８】
上述した特許文献１に開示されたうちわ状発光体を用いる演出では、うちわ状発光体自身の模様や図柄が決まっているので、多数うちわ状発光体からの発光により形成される画像が限定されてしまう、という難点がある。
上述した特許文献２に開示された演出方法では、各携帯発光装置が、発光状態制御装置から無線で送られるアドレスと発光指令信号を受信し、自己アドレスの発光指令信号に基づいて発光するので、発光指令信号を変えることにより種々の光画像を観客席に形成することが可能である。しかし、この演出方法では、各携帯発光装置毎に、換言すれば各アドレス毎に発光指令信号を一つひとつ設定する必要があり、所望の光画像を実現するのに手間がかかるという難点がある。
上述した特許文献３に開示された舞台演出方法では、受信機を備えた発光装置を観客席に分散配置し、これら多数の発光装置を無線送信装置から送られる電波により点滅させたり明度を変えたりするので、特許文献２に開示された演出方法と同様の難点がある。
本発明は、このような事情を考慮してなされたもので、その目的とするところは、比較的簡易な方法で携帯型発光装置の発光状態を高度に制御できる演出方法及び演出システムと、それに用いる携帯型発光装置を提供することにある。
本発明の他の目的は、ある範囲（領域）毎に発光状態を変えて光のウェーブ等の複雑な動画像を容易に形成できる演出方法及び演出システムと、それらに用いる携帯型発光装置を提供することにある。
【課題を解決するための手段】
【０００９】
本発明の第１の観点では、演出方法が提供される。この演出方法は、
複数の携帯型発光装置の各々に所定範囲内で無線通信が可能なＩＣタグを取り付けると共に、当該ＩＣタグが受信した制御信号によってその発光状態を変更可能とし、
複数の前記携帯型発光装置の各々を会場に入った（る）観客に携帯させ、
各々が所定の通信可能ゾーンを持つ複数の発光状態制御装置を前記会場に配置し、
複数の前記発光状態制御装置の各々から送信される前記制御信号に基づいて、当該発光状態制御装置の前記通信可能ゾーン内にある前記携帯型発光装置の発光状態を変化させることにより、複数の前記通信可能ゾーン毎に固有の像を形成させ、それらの像の組み合わせによって前記会場の演出を行うことを特徴とするものである。
本発明の第１の観点による演出方法では、複数の携帯型発光装置の各々にＩＣタグが取り付けてあるため、発光状態制御装置から各ＩＣタグに記憶させた識別コードを用いて制御信号を個別に送信することにより、それら携帯型発光装置の発光状態を個別に変更可能である。また、複数の発光状態制御装置は、各々が所定の通信可能ゾーンを持っているので、一つの発光状態制御装置の通信可能ゾーン内にある携帯型発光装置の発光状態は、当該発光状態制御装置から送信される制御信号に応じたものになる。よって、比較的簡易な方法で携帯型発光装置の発光状態を高度に制御することができる。
【００１０】
また、前記発光状態制御装置毎にその通信可能ゾーン内にある前記携帯型発光装置の発光状態を変化させるので、ある範囲（領域）毎に発光状態を変えて光のウェーブ等の複雑な動画像を容易に形成することができる。
【００１１】
なお、制御信号を受信しない携帯型発光装置が生じることを防止するため、隣接する発光状態制御装置の通信可能ゾーンは重複せしめるのが好ましいが、この場合は、通信可能ゾーンの重複部分にある（すなわち二つ以上の制御信号を受信する）携帯型発光装置の発光状態を予め決めておく必要がある。例えば、受信強度の強い方の制御信号に応じた発光状態とする、あるいは、一つの制御信号を受信する場合とは異なる発光状態とする、等である。
【００１２】
本発明の第１の観点による演出方法の好ましい例では、隣接する前記発光状態制御装置の前記通信可能ゾーンが互いに重複せしめられており、その重複部分にある前記携帯型発光装置の発光状態が、受信強度の強い方の制御信号に応じた発光状態とされる。
本発明の第１の観点による演出方法の他の好ましい例では、隣接する前記発光状態制御装置の前記通信可能ゾーンが互いに重複せしめられており、その重複部分にある前記携帯型発光装置の発光状態が、一つの制御信号を受信する場合とは異なる発光状態とされる。
【００１３】
本発明の第２の観点では、演出システムが提供される。この演出システムは、
複数の携帯型発光装置と、それら携帯型発光装置の発光状態を制御する複数の発光状態制御装置とを含み、
複数の前記携帯型発光装置の各々は、所定範囲内で無線通信が可能なＩＣタグを備えていると共に、当該ＩＣタグが受信した制御信号によってその発光状態を変更可能であり、
複数の前記発光状態制御装置の各々は、一定のレイアウトで会場内に配置されると共に、所定の通信可能ゾーンを有しており、
複数の前記発光状態制御装置の各々から送信される前記制御信号に基づいて、当該発光状態制御装置の前記通信可能ゾーン内にある前記携帯型発光装置の発光状態を変化させることにより、複数の前記通信可能ゾーン毎に固有の像を形成させ、それらの像の組み合わせによって前記会場の演出を行うことを特徴とするものである。
本発明の第２の観点による演出システムでは、複数の携帯型発光装置の各々がＩＣタグを備えているため、発光状態制御装置から各ＩＣタグに記憶させた識別コードを用いて制御信号を個別に送信することにより、それら携帯型発光装置の発光状態を個別に変更可能である。また、複数の発光状態制御装置は、各々が所定の通信可能ゾーンを持っているので、一つの発光状態制御装置の通信可能ゾーン内にある携帯型発光装置の発光状態は、当該発光状態制御装置から送信される制御信号に応じたものになる。よって、比較的簡易な方法で携帯型発光装置の発光状態を高度に制御することができる。
【００１４】
また、前記発光状態制御装置毎にその通信可能ゾーン内にある前記携帯型発光装置の発光状態を変化させるので、ある範囲（領域）毎に発光状態を変えて光のウェーブ等の複雑な動画像を容易に形成することができる。
【００１５】
本発明の第２の観点による演出システムの好ましい例では、隣接する前記発光状態制御装置の前記通信可能ゾーンが互いに重複せしめられており、その重複部分にある前記携帯型発光装置の発光状態が、受信強度の強い方の制御信号に応じた発光状態とされる。
本発明の第１の観点による演出方法の他の好ましい例では、隣接する前記発光状態制御装置の前記通信可能ゾーンが互いに重複せしめられており、その重複部分にある前記携帯型発光装置の発光状態が、一つの制御信号を受信する場合とは異なる発光状態とされる。
【００１６】
本発明の第３の観点では、本発明の第１の観点による演出方法または本発明の第２の観点による演出システムに使用される携帯型発光装置が提供される。この携帯型発光装置は、
光源及びその光源から送られる光によって発光する発光部を内蔵した本体部と、
前記本体部に内蔵されたＩＣタグと、
前記光源を駆動する駆動手段とを備え、
前記駆動手段は、前記ＩＣタグを介して受信する制御信号に応じて前記光源を制御し、もって前記発光部の発光状態を制御するように構成されている
ことを特徴とするものである。
本発明の第３の観点による携帯型発光装置は、発光部とＩＣタグを内蔵しており、しかも、制御手段によって、前記ＩＣタグを介して受信する制御信号に応じて前記発光部の発光状態を制御することができる。このため、本発明の第１の観点による演出方法または本発明の第２の観点による演出システムに使用してそれを実現することができる。
【００１７】
本発明の第３の観点による携帯型発光装置の好ましい例では、前記本体部が、前記光源から送られる光によって発光する発光体を内蔵する。
本発明の第３の観点による携帯型発光装置の他の好ましい例では、ローカルモードの動作とリモートモードの動作が可能であり、それら二つのモードは切替スイッチで切り替え可能とされる。
【発明の効果】
【００１８】
本発明の第１の観点による演出方法と本発明の第２の観点による演出システムによれば、比較的簡易な方法で携帯型発光装置の発光状態を高度に制御できる、ある範囲（領域）毎に発光状態を変えて光のウェーブを容易に形成できるという効果がある。
本発明の第３の観点による携帯型発光装置によれば、本発明の第１の観点による演出方法または本発明の第２の観点による演出システムを容易に実現することができるという効果がある。
【発明を実施するための最良の形態】
【００１９】
以下、本発明の好適な実施の形態について、添付図面を参照して詳細に説明する。なお、これにより本発明が限定されるものではない。
【００２０】
（演出システムの構成）
図１は、本発明の一実施形態に係る演出システム１を示す概念図である。この演出システムにより、本発明の一実施形態に係る演出方法が実現される。
この演出システム１は、複数の携帯型発光装置３０と、それら携帯型発光装置３０の発光状態を制御する複数の発光状態制御装置１０と、複数の発光状態制御装置１０（ひいては演出システム１）の動作を制御する、中央制御装置としてのパーソナルコンピュータ２２を備えている。図１では、簡単化のために一つの携帯型発光装置３０と、その携帯型発光装置３０の発光状態を制御する一つの発光状態制御装置１０のみを描いている。
パーソナルコンピュータ２２は、ＬＡＮ（Local Area Network）ケーブル２４を介してハブ２１に接続されている。ハブ２１は、ＬＡＮケーブル２３を介して発光状態制御装置１０に接続されている。ＬＡＮケーブル２３及び２４は、１０／１００  ＢＡＳＥ  ＴＸの規格に沿ったものである。
【００２１】
このように、複数の発光状態制御装置１０とパーソナルコンピュータ２２は、ＬＡＮケーブル２３及び２４と、ハブ２１と、他の同様のＬＡＮケーブル及びハブ（いずれも図示せず）とを介して、相互に接続されており、一つのＬＡＮ（特定区域内情報通信網）を構成している。
【００２２】
発光状態制御装置１０は、アンテナ１１と、無線送信・変調部１２と、エンコーダ１３と、ＬＡＮ−シリアル・コンバータ１４と、それらに所定の電圧を供給する電源部１５とを備えている。ＬＡＮ−シリアル・コンバータ１４は、ＬＡＮ内を伝送される際のデータ伝送形式と、シリアル・インターフェースを介して伝送される際のデータ伝送形式との間で、データの内容を変えずに相互に変換する。エンコーダ１３は、ＬＡＮ−シリアル・コンバータ１４でシリアル伝送に変換されたデータを、所定の方式にしたがって符号化する。エンコーダ１３とＬＡＮ−シリアル・コンバータ１４は、シリアルケーブル１６を介して接続されている。無線送信・変調部１２は、符号化されたデータを所定の方式にしたがって変調し、アンテナ１１を介して電波を使って無線送信する。なお、図示しない発光状態制御装置１０も、これと同じ構成である。
【００２３】
ＬＡＮを介してＬＡＮ−シリアル・コンバータ１４に送られるデータは、パーソナルコンピュータ２２で生成される。したがって、複数の携帯型発光装置３０で所望の発光状態を実現するには、パーソナルコンピュータ２２でそのような発光状態を指定するデータを生成し、そのデータをＬＡＮに接続されているすべての発光状態制御装置１０に送り、それら発光状態制御装置１０から各携帯型発光装置３０に前記データを無線送信することになる。
【００２４】
次に、携帯型発光装置３０の構成について説明する。携帯型発光装置３０は、アンテナ３１と、無線受信・復調部３２と、メモリ３７と、デコーダ・ＬＥＤ駆動部３３と、ＬＥＤユニット３４と、モード・セレクタ３５と、電源部３６とを備えている。図示しない携帯型発光装置３０も、これと同じ構成である。
【００２５】
無線受信・復調部３２は、無線送信されてきた前記データをアンテナ３１で受信し、そして、その受信した前記データを所定の方式にしたがって復調する。デコーダ・ＬＥＤ駆動部３３は、復調された前記データに応じてＬＥＤユニット３４を駆動する。ＬＥＤユニット３４は、赤（Ｒ）、緑（Ｇ）、青（Ｂ）の各色を発光する三つのＬＥＤ（Light-Emitting Diode、発光ダイオード）を内蔵しており、復調された前記データに応じて各種カラーの光を生成可能である。電源部３６は、無線受信・復調部３２とデコーダ・ＬＥＤ駆動部３３とＬＥＤユニット３４に対して、所定の電圧を供給する。
【００２６】
アンテナ３１と無線受信・復調部３２とメモリ３７は、無線ＩＣ（Integrated Circuit、集積回路）タグ４０を構成している。この無線ＩＣタグ４０は、公知のものとほぼ同じ構成である。すなわち、メモリ３７には、当該携帯型発光装置３０に固有の識別コードが記憶されており、その識別コードを読み出すことにより、当該携帯型発光装置３０を他の携帯型発光装置３０から識別することができる。そして、その無線通信機能を利用してＬＥＤの制御信号を受信し、Ｒ、Ｇ、Ｂ三つのＬＥＤをＯＮ・ＯＦＦしたり、発光色を変えたりすることができる。
【００２７】
モード・セレクタ３５は、当該携帯型発光装置３０の動作モードを切り替えるためのものである。携帯型発光装置３０は、その発光状態や動作をパーソナルコンピュータ２２から無線で遠隔操作できる「リモート（remote）・モード」と、そのような遠隔操作はできず、当該携帯型発光装置３０を携帯している人自身が操作してその発光状態や動作を制御する「ローカル（local）・モード」とを有している。このため、必要に応じて無線送信されてきた前記データに基づいてモード・セレクタ３５を動かすことにより、あるいは、携帯型発光装置３０に設けられたモード切替スイッチ（図示せず）を操作することにより、当該携帯型発光装置３０を所望のモードで動作させることができる。
【００２８】
（演出システムの動作）
次に、以上の構成を持つ演出システム１の動作、すなわち演出システム１を用いた演出方法について説明する。
複数の発光状態制御装置１０は、一定のレイアウトで会場内に配置される。それらの発光状態制御装置１０の各々は、所定の通信可能ゾーンを有している。例えば、図２に示すように、会場内で三つの発光状態制御装置１０をある三角形の各頂点に配置し、それらの通信可能ゾーンすなわち、第１ゾーン５１、第２ゾーン５２及び第３ゾーン５３の端部が互いに重なり合うようにする。三つの発光状態制御装置１０は、ＬＡＮケーブルでパーソナルコンピュータ２２に接続する。通信可能距離は、内蔵されているＩＣタグの仕様によって決まっているから、その仕様から通信可能ゾーンの大きさ（半径）は推定可能である。こうして推定した距離に基づいて各発光状態制御装置１０の位置決めをすれば、第１ゾーン５１、第２ゾーン５２及び第３ゾーン５３の端部を互いに重なり合うようにすることができる。
他方、複数の携帯型発光装置３０は、一つずつ、当該会場への入場者（観客）の一人ひとりに携帯してもらう。また、携帯型発光装置３０を携帯した入場者には、第１〜第３のゾーン５１、５２、５３のいずれか一つの内部に含まれる位置に止まってもらうようにする。例えば、図３（ａ）に示すように、第１〜第３のゾーン５１、５２、５３の内部に整列してもらうようにする。こうすることにより、第１ゾーン５１の内部に配置された携帯型発光装置３０は、第１ゾーン５１の中心に配置された発光状態制御装置１０によって発光状態が制御される。第２〜第３のゾーン５２、５３についても同様である。
【００２９】
その結果、パーソナルコンピュータ２２からＬＡＮを通じて各発光状態制御装置１０に制御信号を送ると、その制御信号は各発光状態制御装置１０からその通信可能ゾーンに無線送信される。すると、各通信可能ゾーンすなわち、第１〜第３のゾーン５１、５２、５３の内部にある携帯型発光装置３０は、その制御信号を受信してその内容に応じた発光状態になる。あるタイミングでは、例えば、図３（ａ）に示すように、第１ゾーン５１内のすべての携帯型発光装置３０は赤色に発光し、第２ゾーン５２内のすべての携帯型発光装置３０は青色に発光し、第３ゾーン５３内のすべての携帯型発光装置３０は白色に発光する。このようにして、通信可能ゾーン毎に異なる発光状態を実現することができる。
【００３０】
次のタイミングでは、例えば、図３（ｂ）に示すように、第１ゾーン５１内のすべての携帯型発光装置３０は白色に発光し、第２ゾーン５２内のすべての携帯型発光装置３０は赤色に発光し、第３ゾーン５３内のすべての携帯型発光装置３０は青色に発光する。
このような発光色の変化を繰り返せば、赤、青、白の三色の発光点群が通信可能ゾーン毎に切り替わることになり、その結果、三色の発光点群を第１〜第３のゾーン５１、５２、５３の中心の周りに回転させることが可能となり、高い光学的演出効果が得られる。
【００３１】
図４は、上記演出方法をコンサート会場に適用した例を示す。コンサート会場６０は、一般に、前端にステージ６１があり、それ以外の領域が観客席６２となっている。観客席６２には、多数の椅子（座席）が碁盤の目のように整列せしめられている。そこで、図４に示すように、観客席６２内に九つの発光状態制御装置１０を配置し、それら発光状態制御装置１０をＬＡＮケーブルでパーソナルコンピュータ２２に接続する。そして、それら発光状態制御装置１０の通信可能ゾーンすなわち、第１ゾーン７１、第２ゾーン７２、第３ゾーン７３、第４ゾーン７４、第５ゾーン７５、第６ゾーン７６、第７ゾーン７７、第８ゾーン７８及び第９ゾーン７９の端部が重なり合うようにする。こうして、第１〜第９ゾーン７１〜７９が、図４に示すようにレイアウトされるようにする。
【００３２】
他方、複数の携帯型発光装置３０は、一つずつ、コンサート会場６０への入場者（聴衆）の一人ひとりに携帯してもらい、指定された（あるいは自己の希望する）座席に座ってもらう。すると、各携帯型発光装置３０は、観客が着席した座席の位置に応じて、第１〜第９ゾーン７１〜７９のいずれかに入る。こうすることにより、第１ゾーン７１の内部に配置された携帯型発光装置３０は、第１ゾーン７１の中心に配置された発光状態制御装置１０によって発光状態が制御される。第２〜第９のゾーン７２、７９についても同様である。
【００３３】
その結果、パーソナルコンピュータ２２からＬＡＮを通じて各発光状態制御装置１０に制御信号を送ると、その制御信号は各発光状態制御装置１０からその通信可能ゾーンに無線送信される。すると、各通信可能ゾーンすなわち、第１〜第９のゾーン７１〜７９の内部にある携帯型発光装置３０は、その制御信号を受信してその内容に応じた発光状態になる。
【００３４】
あるタイミングでは、例えば、図４に示すように、第１ゾーン７１のみに属する携帯型発光装置３０は白色に発光し、第２ゾーン７２のみに属する携帯型発光装置３０は赤色に発光し、第３ゾーン７３のみに属する携帯型発光装置３０は青色に発光する。同様に、第４ゾーン７４のみに属する携帯型発光装置３０は青色に発光し、第５ゾーン７５のみに属する携帯型発光装置３０は白色に発光し、第６ゾーン７６のみに属する携帯型発光装置３０は赤色に発光する。第７ゾーン７７のみに属する携帯型発光装置３０は赤色に発光し、第８ゾーン７８のみに属する携帯型発光装置３０は青色に発光し、第９ゾーン７９のみに属する携帯型発光装置３０は白色に発光する。
【００３５】
図４の例では、図３の例とは異なり、隣接する二つあるいはそれ以上のゾーンが重複しているので、重複部分の発光状態をそれ以外の部分の発光状態とは異ならせている。図４の例では、隣接する二つあるいはそれ以上のゾーンの重複部分に属する携帯型発光装置３０は緑色に発光する。これは、例えば、各携帯型発光装置３０を、二つあるいはそれ以上の制御信号を同時に受信した場合は緑色に発光するように設定することにより、実現することができる。なお、重複部分の発光状態は、これ以外の任意の発光状態としてもよいことは言うまでもない。例えば、同時に受信した制御信号の強度を比較し、最も強い制御信号に応じた発光状態としてもよい。
【００３６】
図４の例においても、図３の例と同様に、時間の経過に応じて各発光状態制御装置１０の制御信号を変えることにより、異なる発光状態の発光点群を第１〜第９のゾーン７１〜７９毎に変化させることが可能となり、高い光学的演出効果が得られる。
【００３７】
図５は、上記演出方法を野球場に適用した例を示す。野球場８０は、一般に、中央にグラウンド８１があり、その周囲に観客席８２が設けられている。観客席８２には、多数の椅子（座席）がグラウンド８１に向かって整列せしめられている。そこで、図５に示すように、観客席８２内に多数の発光状態制御装置１０を配置し、それら発光状態制御装置１０をＬＡＮケーブルでパーソナルコンピュータ２２に接続する。そして、それら発光状態制御装置１０の通信可能ゾーン９０をその端部が重なり合うように調整する。こうして、多数のゾーン９０が、図５に示すように、観客席８２に沿ってレイアウトされるようにする。
【００３８】
他方、複数の携帯型発光装置３０は、一つずつ、野球場８０への入場者（観客）の一人ひとりに携帯してもらい、観客席８２の指定された（あるいは自己の希望する）座席に座ってもらう。すると、各携帯型発光装置３０は、観客が着席した座席の位置に応じて、多数のゾーン９０のいずれかに入る。こうすることにより、あるゾーン９０の内部に配置された携帯型発光装置３０は、そのゾーン９０の中心に配置された発光状態制御装置１０によって発光状態が制御される。他のゾーン９０についても同様である。
【００３９】
その結果、パーソナルコンピュータ２２からＬＡＮを通じて各発光状態制御装置１０に制御信号を送ると、その制御信号は各発光状態制御装置１０からその通信可能ゾーンに無線送信される。すると、各通信可能ゾーンの内部にある携帯型発光装置３０は、その制御信号を受信してその内容に応じた発光状態になる。
【００４０】
あるタイミングでは、例えば、ある一つのゾーン９０のみに属する携帯型発光装置３０が赤色に発光し、他の一つのゾーン９０のみに属する携帯型発光装置３０が緑色に発光し、さらに他の一つのゾーン９０のみに属する携帯型発光装置３０が青色に発光する。次のタイミングでは、それら三つのゾーン９０の右となりのゾーン９０のみに属する携帯型発光装置３０が、それぞれ、赤色、緑色、青色に発光する。その次のタイミングでは、それら三つのゾーン９０のさらに右となりのゾーン９０のみに属する携帯型発光装置３０が、それぞれ、赤色、緑色、青色に発光する。このようにして、赤色、緑色、青色の三色の発光点群が、時間の経過に応じてグラウンド８１の周りを順次移動させると、観客席８２に赤色、緑色、青色の三色のウェーブが形成される。したがって、野球場８０において高い光学的演出効果が得られる。
【００４１】
（演出システムに使用する携帯型発光装置の構成例）
図６は、上述した演出システム１に使用する携帯型発光装置３０の構成例である、うちわ状発光体１００を示す。この構成は、特開２００２−３１５６１７号公報に開示されたものにほぼ等しい。
このうちわ状発光体１００は、柄１０４と、その一端に接続された扇体１０１から構成されている。扇体１０１は、複数の放射骨１０１ａと、縁部材１０１ｂと、横骨１０１ｃとから構成され、無色透明の樹脂材料でほぼ一定の厚さで一体成形され、構造上の団扇の骨格をなすと共に導光部材となっている。複数の放射骨１０１ａは、柄１０４の近傍の骨集中部１０１ｄから放射状に縁部材１０１ｂまで達している。横骨１０１ｃは、複数の放射骨１０１ａを連結している。扇体１０１の下端の切欠部１０１ｅには、Ｒ，Ｇ，Ｂ三色のＬＥＤを含むＬＥＤユニット１０３が内蔵されている。ＬＥＤユニット１０３から生成・放射される光束は、主として扇体１０１の内部に入射し、各放射骨１０１ａ内に導かれる。
【００４２】
扇体１０１の下部は、ＬＥＤユニット１０３から生成・放射される光束が直接携帯者に向かって漏れないように、遮光部材１０２で覆われている。
【００４３】
柄１０４の内部には、電源１０５と、無線ＩＣタグ１０６が取り付けられている。電源１０５としては、通常、市販の電池が使用される。無線ＩＣタグ１０６は、公知の構成を採用して、それにＬＥＤユニット１０３の発光状態を変更可能な機能を追加することで実現可能である。
柄１０４の外部には、モード切替スイッチ１０７が取り付けられている。うちわ状発光体１００の動作モードは、遠隔操作で切り替えできるが、うちわ状発光体１００の動作モードをその携帯者自身の判断で切り替えできるようにしたものである。
【００４４】
上述したように、本発明の一実施形態の演出システム１では、複数の携帯型発光装置３０の各々がＩＣタグ４０を備えているため、発光状態制御装置１０から各ＩＣタグ４０に記憶させた識別コードを用いて制御信号を個別に送信することにより、それら携帯型発光装置３０の発光状態を個別に変更可能である。また、複数の発光状態制御装置１０は、各々が所定の通信可能ゾーンを持っているので、一つの発光状態制御装置１０の通信可能ゾーン内にある携帯型発光装置３０の発光状態は、当該発光状態制御装置１０から送信される制御信号に応じたものになる。よって、比較的簡易な方法で携帯型発光装置３０の発光状態を高度に制御することができる。
【００４５】
また、発光状態制御装置１０毎にその通信可能ゾーン内にある携帯型発光装置３０の発光状態を変化させるので、ある範囲（領域）毎に発光状態を変えて光のウェーブ等の複雑な動画像を容易に形成することができる。
【００４６】
（変形例）
上述した実施形態は本発明を具体化した例を示すものである。したがって、本発明はこれら実施形態に限定されるものではなく、本発明の趣旨を外れることなく種々の変形が可能であることは言うまでもない。
【産業上の利用可能性】
【００４７】
本発明の演出方法、演出システム及び携帯型発光装置は、競技場、コンサート会場、エベント会場等の広い面積の会場で客と一体になった演出に利用できる。
【図面の簡単な説明】
【００４８】
【図１】本発明の一実施形態に係る演出システムを示す機能ブロック図である。
【図２】本発明の一実施形態に係る演出システムにおける発光状態制御装置のレイアウトの例を示す説明図である。
【図３】図２の発光状態制御装置のレイアウトで生成される発光点群（演出効果）の一例を示す説明図である。
【図４】本発明の一実施形態に係る演出システムにおける発光状態制御装置のレイアウトの他の例と、そこで生成される発光点群（演出効果）の一例を示す説明図である。
【図５】本発明の一実施形態に係る演出システムにおける発光状態制御装置のレイアウトのさらに他の例を示す説明図である。
【図６】本発明の一実施形態に係る演出システムに使用する携帯型発光装置としてのうちわ状発光体を示す正面説明図である。
【符号の説明】
【００４９】
１  演出システム
１０  発光状態制御装置
１１  アンテナ
１２  無線送信・変調部
１３  エンコーダ
１４  ＬＡＮ−シリアル・コンバータ
１５  電源部
１６  シリアルケーブル
２１  ハブ
２２  パーソナルコンピュータ
２３、２４  ＬＡＮケーブル
３０  携帯型発光装置
３１  アンテナ
３２  無線受信・復調部
３３  デコーダ・ＬＥＤ制御部
３４  ＬＥＤユニット
３５  モード・セレクタ
３６  電源部
３７  メモリ
４０  無線ＩＣタグ
５１  第１通信可能ゾーン
５２  第２通信可能ゾーン
５３  第３通信可能ゾーン
６０  コンサート会場
６１  ステージ
６２  観客席
７１  第１通信可能ゾーン
７２  第２通信可能ゾーン
７３  第３通信可能ゾーン
７４  第４通信可能ゾーン
７５  第５通信可能ゾーン
７６  第６通信可能ゾーン
７７  第７通信可能ゾーン
７８  第８通信可能ゾーン
７９  第９通信可能ゾーン
８０  野球場
８１  グラウンド
８２  観客席
９０  通信可能ゾーン
１００  うちわ状発光体
１０１ａ  放射骨
１０１ｂ  縁部材
１０１ｃ  横骨
１０１ｄ  骨集中部
１０１ｅ  切欠部
１０２  遮光部材
１０３  ＬＥＤユニット
１０４  柄
１０５  電源
１０６  無線ＩＣタグ
１０７  モード切替スイッチ
【図１】
2007115412.tif 000003
【図２】
2007115412.tif 000004
【図３】
2007115412.tif 000005
【図４】
2007115412.tif 000006
【図５】
2007115412.tif 000007
【図６】
2007115412.tif 000008